(57)【要約】【課題】各種電子機器に使用されるダンパー装置に関し、ダンパー力の劣化がなく、確実な開閉操作が可能なものを提供することを目的とする。【解決手段】固定ケース１内に収納された複数の固定板１２、または可動軸１３に装着された複数の可動板１４の外周に、軸線方向へ突出する略リング状の壁部１２Ａを設けることによって、これらの間に塗布された潤滑剤の流出を防ぎ、常に潤滑剤を介して固定板１２に対する可動板１４の回転が行われるため、開閉操作を繰り返した場合でもダンパー力の劣化がなく、確実な開閉操作が可能なダンパー装置を得ることができる。【選択図】図１
2010019300.tif 000002
【特許請求の範囲】
【請求項１】
略円筒状の固定ケースと、この固定ケース内に収納された複数の固定板と、上記固定ケース内に回転可能に挿入された可動軸と、この可動軸に軸線方向へ移動可能に装着された複数の可動板からなり、上記固定板または上記可動板の外周に、軸線方向へ突出する略リング状の壁部を設けたダンパー装置。
【請求項２】
可動軸が所定角度回転した後に、これに連動して可動板が回転する請求項１記載のダンパー装置。
【発明の詳細な説明】
【技術分野】
【０００１】
本発明は、携帯電話やパーソナルコンピュータ等の、各種電子機器に使用されるダンパー装置に関するものである。
【背景技術】
【０００２】
近年、携帯電話やパーソナルコンピュータ等の電子機器の小型化や軽量化が進むなか、固定筐体に対し可動筐体が開閉可能に装着された、いわゆる折畳み式のものが増えており、これらに用いられるダンパー装置やヒンジ装置においても、確実でより多様な開閉操作が行えるものが求められている。
【０００３】
このような従来のダンパー装置について、図８及び図９を用いて説明する。
【０００４】
図９は従来のダンパー装置の断面図であり、同図において、１は略円筒状で金属製の固定ケース、２は多角形の板状で金属製の複数の固定板で、固定ケース１左方の外周が多角形状に形成されると共に、この内周に固定板２の外周が当接して、複数の固定板２が固定ケース１内に軸線方向へ移動可能に収納されている。
【０００５】
また、３は固定ケース１内に回転可能に挿入された金属製の可動軸、４は略円板状で金属製の複数の可動板で、この複数の可動板４が複数の固定板２の間に交互に配置されると共に、可動板４の中央には角孔が設けられ、この角孔に略角柱状の可動軸３が挿通されて、複数の可動板４が可動軸３に軸線方向へ移動可能に装着されている。
【０００６】
そして、５はコイル状のばねで、このばね５がやや撓んだ状態で固定ケース１右側面と固定板２の間に装着されて、複数の固定板２と複数の可動板４を弾接させると共に、複数の固定板２と複数の可動板４の間には高粘度の潤滑剤（図示せず）が塗布されている。
【０００７】
さらに、６は金属または合成樹脂製の固定体、７は同じく固定カバー、８は略リング状のスペーサで、固定体６左端にスペーサ８が装着されると共に、固定カバー７が固定ケース１右側面の開口部を覆っている。
【０００８】
また、複数の可動板４を装着し、複数の固定板２中央の貫通孔を挿通した可動軸３の左端が、止め輪９によって固定ケース１外側面に回転可能に装着されると共に、固定カバー７右側面からは可動軸３右端が回転可能に突出して、ダンパー装置１０が構成されている。
【０００９】
そして、このように構成されたダンパー装置１０が、例えば、図８の携帯電話の斜視図に示すように、固定ケース１が、上面に複数のキーが配列された操作部２１Ａやマイクロフォン等の音声入力部２１Ｂが形成された固定筐体２１へ、可動軸３右端が、表面に液晶表示素子等の表示部２２Ａやスピーカ等の音声出力部２２Ｂが形成された可動筐体２２へ各々固着される。
【００１０】
さらに、固定筐体２１と可動筐体２２の間には、複数のカムやばね（図示せず）等から形成されたヒンジ装置２３が装着され、このヒンジ装置２３によって、可動筐体２２が固定筐体２１に対し、閉方向や開方向へ付勢されるようにして、電子機器が構成される。
【００１１】
以上の構成において、例えば、可動筐体２２が閉じた状態から、固定筐体２１側面の押釦（図示せず）等を押圧操作すると、ヒンジ装置２３のカムやばね等が動作して、可動筐体２２に開く方向の力が加わり、可動筐体２２が開方向へ付勢されて開操作が行われる。
【００１２】
そして、この時、ダンパー装置１０の、可動筐体２２に右端が固着された可動軸３も開方向へ回転し、可動軸３に装着された複数の可動板４が回転するが、この可動板４には、可動板４の間に交互に配置され固定ケース１に装着された複数の固定板２が、ばね５によって弾接すると共に、可動板４と固定板２の間には高粘度の潤滑剤が塗布されているため、この摩擦によって複数の可動板４と固定板２の間には開方向に対する抵抗、いわゆるダンパー力が発生する。
【００１３】
つまり、可動筐体２２にはヒンジ装置２３によって開く方向への力が加わるが、同時にダンパー装置１０によって開方向に対する抵抗も加わるため、可動筐体２２の開操作が急激にではなく、緩やかに行われるようになっている。
【００１４】
また、この開状態から可動筐体２２を手で閉じた場合には、所定角度まで閉じると、開閉装置２３のカムやばね等の動作によって、可動筐体２２に閉方向への力が加わり、可動筐体２２が閉じた状態で保持されるが、この閉操作の際にも、ダンパー装置１０によって可動筐体２２に閉方向への抵抗が加わり、可動筐体２２の閉操作が緩やかに行われる。
【００１５】
すなわち、ヒンジ装置２３によって可動筐体２２を開または閉方向へ付勢して、固定筐体２１に対する可動筐体２２の開閉操作を行うと共に、ダンパー装置１０によって可動筐体２２へ常に一定の抵抗を与え、可動筐体２２の衝撃のない緩やかな開閉操作が行われるように構成されているものであった。
【００１６】
なお、この出願の発明に関連する先行技術文献情報としては、例えば、特許文献１が知られている。
【特許文献１】特開２００７−３２１８３５号公報
【発明の開示】
【発明が解決しようとする課題】
【００１７】
しかしながら、上記従来のダンパー装置においては、交互に配置された複数の平板状の固定板２と可動板４が、その間に高粘度の潤滑剤が塗布されてはいるが、ばね５によって弾接し密着しているため、開閉操作が長期間連続して繰り返された場合、潤滑剤が固定板２と可動板４の間から外方へ流出し、ダンパー力が劣化してしまう場合があるという課題があった。
【００１８】
本発明は、このような従来の課題を解決するものであり、ダンパー力の劣化を防ぎ、確実な開閉操作が可能なダンパー装置を提供することを目的とする。
【課題を解決するための手段】
【００１９】
上記目的を達成するために本発明は、以下の構成を有するものである。
【００２０】
本発明の請求項１に記載の発明は、固定ケース内に収納された複数の固定板、または可動軸に装着された複数の可動板の外周に、軸線方向へ突出する略リング状の壁部を設けてダンパー装置を構成したものであり、固定板または可動板外周の壁部によって、これらの間に塗布された潤滑剤の流出を防ぎ、常に潤滑剤を介して固定板に対する可動板の回転が行われるため、開閉操作を繰り返した場合でもダンパー力の劣化がなく、確実な開閉操作が可能なダンパー装置を得ることができるという作用を有する。
【００２１】
請求項２に記載の発明は、請求項１記載の発明において、可動軸が所定角度回転した後に、これに連動して可動板が回転するものであり、例えば、所定角度までは速やかに開いたり、閉じる直前には速やかに閉じたりするといった、多様な開閉操作を行うことができるという作用を有する。
【発明の効果】
【００２２】
以上のように本発明によれば、ダンパー力の劣化がなく、確実な開閉操作が可能なダンパー装置を実現することができるという有利な効果が得られる。
【発明を実施するための最良の形態】
【００２３】
以下、本発明の実施の形態について、図１〜図８を用いて説明する。
【００２４】
なお、背景技術の項で説明した構成と同一構成の部分には同一符号を付して、詳細な説明を簡略化する。
【００２５】
（実施の形態）
図１は本発明の一実施の形態によるダンパー装置の断面図、図２は同分解斜視図であり、同図において、１は略円筒状で鋼や銅合金、合成樹脂製の固定ケース、１２は同じく略八角形状の複数の固定板で、固定板１２外周の左右面には、軸線方向へ突出する略リング状の壁部１２Ａが形成されると共に、略八角形状に形成された固定ケース１左方の内周に、固定板１２の外周が当接して、複数の固定板１２が固定ケース１内に軸線方向へ移動可能に収納されている。
【００２６】
また、１３は固定ケース１内に回転可能に挿入された金属製の可動軸、１４は略円板状で金属製の複数の可動板で、この可動板１４の外形が、固定板１２の略円形の窪部１２Ｂよりもやや小さく形成されると共に、複数の可動板１４が複数の固定板１２間の窪部１２Ｂ内に交互に配置され、可動板１４中央の貫通孔１４Ａ内に略角柱状の可動軸１３が挿通されて、複数の可動板１４が可動軸１３に軸線方向へ移動可能に装着されている。
【００２７】
さらに、この可動軸１３が挿通した複数の可動板１４中央の貫通孔１４Ａには、図３の部分斜視図に示すように、可動軸１３が所定角度回転した後に、これに連動して可動板１４が回転するように、可動軸１３の一対の突出部１３Ａが当接する一対のカム部１５Ａや１５Ｂ、１５Ｃが各々異なる角度寸法で、内方へ突出形成されている。
【００２８】
そして、５はコイル状で銅合金や鋼線製のばねで、このばね５がやや撓んだ状態で固定ケース１右側面と固定板１２の間に装着されて、複数の固定板１２と複数の可動板１４を弾接させると共に、複数の固定板１２の窪部１２Ｂと複数の可動板１４の間には、高粘度のシリコーンやオレフィン系、フッ素系等の潤滑剤（図示せず）が塗布されている。
【００２９】
また、６は金属または合成樹脂製の固定体、７は同じく固定カバー、８は略リング状のスペーサで、固定体６左端にスペーサ８が装着されると共に、固定カバー７が固定ケース１右側面の開口部を覆っている。
【００３０】
さらに、複数の可動板１４を装着し、複数の固定板１２中央の貫通孔を挿通した可動軸１３の左端が、止め輪９によって固定ケース１外側面に回転可能に装着されると共に、固定カバー７右側面からは可動軸１３右端が回転可能に突出して、ダンパー装置２０が構成されている。
【００３１】
そして、このように構成されたダンパー装置２０が、例えば、図８の携帯電話の斜視図に示すように、固定ケース１が、上面に複数のキーが配列された操作部２１Ａやマイクロフォン等の音声入力部２１Ｂが形成された固定筐体２１へ、可動軸１３右端が、表面に液晶表示素子等の表示部２２Ａやスピーカ等の音声出力部２２Ｂが形成された可動筐体２２へ各々固着される。
【００３２】
さらに、固定筐体２１と可動筐体２２の間には、複数のカムやばね（図示せず）等から形成されたヒンジ装置２３が装着され、このヒンジ装置２３によって、可動筐体２２が固定筐体２１に対し、閉方向や開方向へ付勢されるようにして、電子機器が構成される。
【００３３】
以上の構成において、例えば、可動筐体２２が閉じた状態から、固定筐体２１側面の押釦（図示せず）等を押圧操作すると、ヒンジ装置２３のカムやばね等が動作して、可動筐体２２に開く方向の力が加わり、可動筐体２２が開方向へ付勢されて開操作が行われる。
【００３４】
また、同時に、ダンパー装置２０の、可動筐体２２に右端が固着された可動軸１３も開方向へ回転し、可動軸１３に装着された複数の可動板１４が回転するが、この時、図４（ａ）の部分断面図に示す閉状態から、例えば図４（ｂ）に示すように、可動軸１３が５０度回転した状態になると、可動軸１３の一対の突出部１３Ａが１枚目の可動板１４の一対のカム部１５Ａに当接し、これ以降は突出部１３Ａにカム部１５Ａを押圧された１枚目の可動板１４が、可動軸１３と共に回転する。
【００３５】
そして、この１枚目の可動板１４とこの左右に配置された固定板１２が、ばね５によって弾接すると共に、これらの可動板１４と固定板１２の間には高粘度の潤滑剤が塗布されているため、この摩擦によって可動板１４と可動軸１３には開方向に対する抵抗、いわゆるダンパー力が発生する。
【００３６】
さらに、図４（ｃ）に示すように、可動軸１３が例えば８０度回転した状態になると、可動軸１３の突出部１３Ａが２枚目の可動板１４のカム部１５Ｂに当接し、図４（ｄ）に示すように、１００度回転した状態になると、３枚目の可動板１４のカム部１５Ｃにも当接し、図４（ｅ）に示すように、１６０度回転するまでの間は、３枚の可動板１４による抵抗が可動軸１３や可動筐体２２に加わる。
【００３７】
つまり、閉状態から５０度に開くまでの間は、可動板１４と固定板１２によるダンパー力が発生せず、殆んど抵抗がないため、ヒンジ装置２３に付勢されて速やかに可動筐体２２の開操作が行われるが、５０度から８０度の間は１枚の可動板１４が、８０度から１００度の間は２枚の可動板１４が、１００度から１６０度の間は３枚の可動板１４が、各々可動軸１３に連動して回転するため、これらの抵抗が可動板１４と可動軸１３に加わり、可動筐体２２の緩やかな開操作が行われるようになっている。
【００３８】
また、この開状態から可動筐体２２を手で閉じた場合には、所定角度まで閉じると、ヒンジ装置２３のカムやばね等の動作によって、可動筐体２２に閉方向への力が加わり、可動筐体２２が閉じた状態で保持されるが、この閉操作の際には、ダンパー装置２０のダンパー力が上記とは逆にはたらき、１００度まで閉じる間は最も抵抗が大きく、緩やかに閉操作が行われ、１００度、８０度と順次抵抗が小さくなってゆき、５０度から閉じるまでの間は抵抗がなく、速やかな閉操作が行われる。
【００３９】
つまり、可動筐体２２を開く際には、所定角度までは速やかに、それ以降は緩やかに開操作を行うことで、開ききった時の衝撃によって、機器を手から落下させること等のないようにすると共に、閉じる際には、所定角度までは抵抗感をもって閉操作を行えるように構成されている。
【００４０】
なお、以上の説明では、５０度で１枚の可動板１４、８０度で２枚の可動板１４、１００度で３枚の可動板１４によって、各々ダンパー力を発生させる構成として説明したが、可動軸１３の突出部１３Ａが各々のカム部に当接する角度を変えたり、あるいは、ある角度では複数のカム部に同時に当接させたりすることによって、さらに多様な開閉操作を行うことも可能である。
【００４１】
そして、このような開閉操作の際、複数の固定板１２外周の左右面には、軸線方向へ突出する略リング状の壁部１２Ａが形成されると共に、潤滑剤が塗布された複数の可動板１４が、固定板１２の窪部１２Ｂ内に交互に配置されているため、開閉操作を繰り返した場合でも、ダンパー力の劣化がなく、確実な開閉操作が行えるようになっている。
【００４２】
すなわち、固定板１２外周に略リング状の壁部１２Ａを設けることで、開閉操作が長期間連続して繰り返された場合でも、固定板１２と可動板１４の間に塗布された潤滑剤が、これらの回転による遠心力によって外方へ流出することを防ぎ、常に潤滑剤を介して固定板１２に対して可動板１４が回転し、所定のダンパー力を維持できるように構成されている。
【００４３】
さらに、ばね５によって複数の固定板１２外周の壁部１２Ａを弾接させると共に、この窪部１２Ｂに複数の可動板１４を交互に配置することによって、複数の固定板１２の間の寸法を、ばらつきが少なく一定に保つことができるため、ダンパー力のばらつきを抑え、安定したダンパー力を得ることが可能となる。
【００４４】
なお、以上の説明では、固定板１２外周の左右面に壁部１２Ａを設け、この窪部１２Ｂ内に平板状の可動板１４を交互に配置した構成として説明したが、これとは逆に可動板１４外周に略リング状の壁部を設け、これに平板状の固定板１２をばね５によって弾接させる構成としても、本発明の実施は可能である。
【００４５】
また、図５の部分斜視図に示すように、可動板２５を固定板１２とほぼ同じ大きさの外形寸法に形成し、固定板１２外周の壁部１２Ａと可動板２５外周を弾接させる構成としても、同様に、開閉操作の繰り返しによる潤滑剤の流出を防ぐことができる。
【００４６】
そして、図６の部分斜視図に示すように、略リング状の壁部２６を固定板２７や可動板１４とは別体に設け、これらをばね５によって弾接させる構成とすれば、特にこれらの構成部品を鋼や銅合金等の金属で形成する場合、複雑な加工を必要とせず、抜き金型を用いて金属板をプレス加工する等の比較的簡易な加工で、壁部２６や固定板２７、可動板１４を製作することができるため、安価に製作を行うことが可能となる。
【００４７】
さらに、構成を判り易くするために左右方向を逆に表した、図７の部分斜視図に示すように、固定板２８外周の片面にのみ壁部２８Ａを設け、この窪部２８Ｂ内に平板状の可動板１４を交互に配置した構成とすれば、軸線方向の寸法はそのままで可動板１４をもう１枚増やすことができるため、より大きなダンパー力を得ることもできる。
【００４８】
このように本実施の形態によれば、固定ケース１内に収納された複数の固定板１２、または可動軸１３に装着された複数の可動板１４の外周に、軸線方向へ突出する略リング状の壁部１２Ａを設けることによって、これらの間に塗布された潤滑剤の流出を防ぎ、常に潤滑剤を介して固定板１２に対する可動板１４の回転が行われるため、開閉操作を繰り返した場合でもダンパー力の劣化がなく、確実な開閉操作が可能なダンパー装置を得ることができるものである。
【００４９】
また、可動軸１３が所定角度回転した後に、これに連動して可動板１４を回転させることによって、例えば、所定角度までは速やかに開いたり、閉じる直前には速やかに閉じたりするといった、多様な開閉操作を行うことができる。
【００５０】
なお、以上の説明では、開閉操作を判り易くするために、各々３枚の可動板１４と固定板１２を弾接させた構成について説明したが、可動板１４や固定板１２を１枚ずつとした構成や、あるいは５枚、６枚とさらに多くの可動板１４と固定板１２を弾接させた構成としても、本発明の実施は可能である。
【００５１】
また、以上の説明では、ダンパー装置２０とヒンジ装置２３を別々に設け、これらを固定筐体２１と可動筐体２２の間に装着する構成について説明したが、ダンパー装置２０の固定ケース１内にカムやばね等を設け、ヒンジ装置と一体に形成した構成としてもよい。
【産業上の利用可能性】
【００５２】
本発明によるダンパー装置は、ダンパー力の劣化がなく、確実な開閉操作が可能なものを得ることができ、各種電子機器に使用されるダンパー装置として有用である。
【図面の簡単な説明】
【００５３】
【図１】本発明の一実施の形態によるダンパー装置の断面図
【図２】同分解斜視図
【図３】同部分斜視図
【図４】同部分断面図
【図５】同他の実施の形態による部分斜視図
【図６】同部分斜視図
【図７】同部分斜視図
【図８】携帯電話の斜視図
【図９】従来のダンパー装置の断面図
【符号の説明】
【００５４】
１  固定ケース
５  ばね
６  固定体
７  固定カバー
８  スペーサ
９  止め輪
１２、２７、２８  固定板
１２Ａ、２６、２８Ａ  壁部
１２Ｂ、２８Ｂ  窪部
１３  可動軸
１３Ａ  突出部
１４、２５  可動板
１４Ａ  貫通孔
１５Ａ、１５Ｂ、１５Ｃ  カム部
２０  ダンパー装置
２１  固定筐体
２１Ａ  操作部
２１Ｂ  音声入力部
２２  可動筐体
２２Ａ  表示部
２２Ｂ  音声出力部
２３  ヒンジ装置
【図１】
2010019300.tif 000003
【図２】
2010019300.tif 000004
【図３】
2010019300.tif 000005
【図４】
2010019300.tif 000006
【図５】
2010019300.tif 000007
【図６】
2010019300.tif 000008
【図７】
2010019300.tif 000009
【図８】
2010019300.tif 000010
【図９】
2010019300.tif 000011